(57)【要約】【課題】  ネットワーク全体におけるイメージデータの再利用を促すことで印刷スループットの向上を図る。【解決手段】  通信ネットワーク上の装置と通信を行う通信手段と、通信手段により通信ネットワーク上の装置とファイルを共有するファイル共有手段と、通信手段により受信した印刷ジョブのうちページハッシュが共有手段により共有されたグローバル管理テーブル中のエントリと一致するかどうかを判定する判定手段と、判定手段により同一ハッシュ値を持つエントリがグローバル管理テーブルに含まれると判定すると、ハッシュ値に関連付けられたイメージデータを取得する取得手段と、印刷データをイメージデータに変換する変換手段と、イメージデータや各種情報を保存するローカルデータ保存手段と、イメージデータを印刷媒体に印刷する印刷手段とを有することを特徴とする画像処理装置。【選択図】  図１
2006164152.tif 000002
【特許請求の範囲】
【請求項１】
通信ネットワークに接続された印刷システムであって、通信ネットワーク上の装置と通信を行う通信手段と、通信手段により通信ネットワーク上の装置とファイルを共有するファイル共有手段と、通信手段により受信した印刷ジョブのうちページハッシュが共有手段により共有されたグローバル管理テーブル中のエントリと一致するかどうかを判定する判定手段と、判定手段により同一ハッシュ値を持つエントリがグローバル管理テーブルに含まれると判定すると、ハッシュ値に関連付けられたイメージデータを取得する取得手段と、印刷データをイメージデータに変換する変換手段と、イメージデータや各種情報を保存するローカルデータ保存手段と、イメージデータを印刷媒体に印刷する印刷手段とを有することを特徴とする画像処理装置。
【請求項２】
変換手段により生成されたイメージデータを共有手段により共有された記憶領域に保存する共有データ保存手段と、共有手段により共有されたグローバル管理テーブルで、ページハッシュと共有データ保存手段により保存されたイメージデータを関連付けて管理するテーブル管理手段とを有することを特徴とする請求項１に記載の画像処理装置。
【請求項３】
ファイル共有手段により共有されたグローバル管理テーブルを、定期的に自装置に複製する複製手段と、ファイル共有手段が利用可能かどうかを検査する検査手段と、検査手段によりファイル共有手段が利用不能と判定されると、ハッシュ値の判定に用いるグローバル管理テーブルを、共有手段により共有されているものから、前記複製手段により複製されたものに切り替える切り替え手段とを有することを特徴とする請求項１及び２に記載の画像処理装置。
【請求項４】
通信ネットワークに接続された印刷システムであって、通信ネットワーク上の機器と通信を行う通信手段と、印刷対象である文書等のオリジナルデータの各ページに対してハッシュ値を算出するハッシュ計算手段と、オリジナルデータの各ページを画像処理装置が処理可能なデータ形式に変換する変換手段と、ハッシュ計算手段により算出されたハッシュ値と変換手段により変換されたデータと各種印刷制御データにより印刷ジョブを生成する生成手段と、生成手段により生成された印刷ジョブを通信手段により画像処理装置に送信する送信手段とを有することを特徴とする情報処理装置。
【請求項５】
通信手段により通信ネットワーク上の画像処理装置とファイルを共有するファイル共有手段と、ハッシュ計算手段により算出されたハッシュ値を含むエントリがファイル共有手段により共有されたグローバル管理テーブルに含まれるかどうかを判定する判定手段とを有することを特徴とする請求項４に記載の情報処理装置。
【請求項６】
判定手段により、ハッシュ計算手段により算出されたページのハッシュ値を持つエントリがグローバル管理テーブルに含まれると判定されると、変換手段による当該ページの変換を行わず、変換データが印刷ジョブには含まれないことを特徴とする請求項４及び５に記載の情報処理装置。
【請求項７】
画像処理装置による印刷処理方法であって、ハッシュ値を判定するハッシュ判定ステップと、前記判定ステップにおける判定結果に応じて、イメージデータを生成するイメージデータ生成ステップと、保存されたイメージデータを取得するイメージデータ取得ステップと、イメージデータ生成ステップで生成したイメージデータを共有記憶領域に保存するイメージデータ保存ステップと、イメージデータを印刷する印刷ステップとを含むことを特徴とするデータ通信方法。
【請求項８】
請求項７に記載の印刷処理方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、ネットワーク上に分散配置された画像処理装置を利用して印刷処理を行う印刷システムに関するものである。
【背景技術】
【０００２】
従来、画像処理装置による印刷処理は、該画像処理装置において、RIP(Raster Image Processing)と呼ばれる画像処理を行い、得られたイメージデータを紙等の出力媒体に印刷することにより行われていた。更に、特許文献１では、ハードディスクドライブにイメージデータと状態を保持し、状態によりハードディスクからイメージデータを取得して印刷を行うことが開示されている。
【特許文献１】特開２００３−８４９３４号公報
【非特許文献１】S.Shepler,B. Callaghan,D.Robinson,R.Thurlow, C.Beame, M.Eisler, D.Noveck、２００３年４月、インターネット＜URL:http://www.ietf.org/rfc/rfc3530.txt＞
【非特許文献２】R.Rivest、１９９２年４月、インターネット＜URL:http://www.ietf.org/rfc/rfc1321.txt＞
【発明の開示】
【発明が解決しようとする課題】
【０００３】
上記従来技術では、画像処理装置において生成されたイメージデータをハードディスク等の記録媒体に保持（キャッシュ）し、後続する同一印刷処理に対して、キャッシュされたイメージデータを利用することで、印刷処理時間を短縮することが可能であった。
【０００４】
しかしながら、複数の画像処理装置が接続されたネットワーク環境においては、同一データの印刷処理が複数の画像処理装置に対して実行されるため、単一の画像処理装置におけるイメージデータのキャッシュだけでは、イメージデータの再利用率があまり高くは無かった。
【０００５】
そこで、本発明の目的は、ネットワーク全体におけるイメージデータの再利用を促すことで印刷スループットの向上を図ると共に、イメージデータを保持する場合には、イメージデータと関連付けられたハッシュ値をのみ提示することで印刷が行われるような印刷システムを実現することにある。
【課題を解決するための手段】
【０００６】
本発明の画像処理装置は、ネットワーク上の画像処理装置との間でファイルを共有するファイル共有手段と、印刷要求に含まれる印刷データをイメージデータに変換するデータ変換手段と、データ変換手段により生成されたイメージデータを保存するデータ保存手段と、イメージデータと対応するハッシュ値を対応付けて管理するテーブル管理手段と、印刷データのハッシュ値を算出するハッシュ計算手段と、ファイル共有手段により共有されたグローバル管理テーブルを参照し、テーブル中のハッシュ値と、ハッシュ計算手段により得られたハッシュ値が一致するかどうかを比較する比較手段と、比較手段によりハッシュ値が一致すると判定されると、ハッシュ値と関連付けられたイメージデータを取得するイメージデータ取得手段と、取得した取得あるいはデータ変換手段により生成されたイメージデータを印刷する印刷手段とを有することを特徴とする。
【０００７】
本発明の印刷処理方法は、印刷対象のページハッシュ値と各画像処理装置で共有される共有記憶領域に置かれたグローバル管理テーブル上のハッシュ値を比較、判定する判定ステップと、前記判定ステップにおける判定結果に応じて、共有記憶領域上のイメージデータを取得するか、画像処理によりイメージデータを生成するかを決定し、該イメージデータを印刷すること特徴とする。
【０００８】
本発明のプログラムは、前記印刷処理方法を画像処理装置に実行させることを特徴とする。
【０００９】
本発明のコンピュータ読み取り可能な記録媒体は、前記プログラムを記録したことを特徴とする。
【発明の効果】
【００１０】
本発明によれば、ネットワークに接続された情報処理装置から、画像処理装置に対して印刷要求が行われた場合に、共有記憶領域を介して各画像処理装置が保持するイメージデータとマスター管理テーブルを読み書き可能とし、オリジナルデータの各ページにおけるハッシュ値を基に、ページデータに対応するイメージデータが何れかの画像処理装置において保存されているかどうかを判定し、保存されていると判定すると、保存されているイメージデータを取得し、保存されていないと判定すると、該ページデータをイメージデータに変換して印刷を行うことにより、同一のオリジナル文書が異なる画像処理装置から複数回印刷されるような一般的なオフィス環境において、印刷指示を出してから印刷出力を得るまでの時間を短縮するものである。
【００１１】
また、本発明の第二の効果は、予め情報処理装置で印刷データの各ページに対するハッシュ値を計算し、画像処理装置に対して該ハッシュ値を含む印刷要求を送信することにより、
印刷データの全ページに対応するイメージデータが何れかの画像処理装置で保持されている場合には、情報処理装置から画像処理装置へ転送される印刷ジョブには最小限の印刷データしか含まれないことから転送時間が短くなり、更なる印刷時間の短縮が図られると共に、印刷要求を送信する情報処理装置においてオリジナルデータからPDL（Page Description Language）への変換を行うプリンタドライバが必要なくなることから、PDA(Personal Digital Assistance)や携帯電話などプリンタドライバが動作しない、小型の機器においても印刷対象のハッシュ値のみを画像処理装置へ提示するだけで印刷出力を得ることが出来るようになる。
【発明を実施するための最良の形態】
【００１２】
以下、本発明を適用した好適な実施形態を、添付図面を参照しながら詳細に説明する。
【００１３】
＜第１の実施形態＞
図１は、本発明の一実施形態に係る通信ネットワークの構成を示す図である。情報処理装置１０１、１０５および画像処理装置１０２、１０３、１０４は、Ｅｔｈｅｒｎｅｔ（登録商標）等のＬＡＮ（ローカルエリアネットワーク）１０６に接続されており相互に直接通信することが可能である。
【００１４】
図２は図１の通信ネットワーク構成における、画像処理装置１０２、１０３及び１０４によるイメージデータ共有を示した図である。画像処理装置１０２、１０３及び１０４は、データ保存部２０２、２０３及び２０４を夫々備えている。また、画像処理装置１０２、１０３及び１０４内の印刷データは、共有記憶領域２０１を介して相互に参照可能である。
【００１５】
ここで共有記憶領域とは、非特許文献１に示した、Network File System version 4 Protocol（ＮＦＳｖ４）の様に、複数の機器から参照あるいは操作が可能な記憶領域で自装置のデータ保存部と同様に操作が可能なものを指しているが、ＮＦＳｖ４以外であっても、同様の機能を提供する機構であれば本実施形態を実現可能であることは言うまでも無い。
【００１６】
画像処理装置１０２のデータ保存部２０２には、グローバル管理テーブル２１１とイメージデータ２１２が保存されており、共有記憶領域２０１にはイメージデータ２１２の写像（リンク）が２２２として、グローバル管理テーブル２１１の実体が２２０として配置され、他の画像処理装置１０３及び１０４から参照可能である。共有記憶領域２０１に配置されるイメージデータのリンクは、内部形式として画像処理装置上のイメージデータの位置情報を示すＵＲＬ（Uniform Resource Locator）が設定されている。同様に画像処理装置１０３のデータ保存部２０３に保存されたイメージデータ２１３は、共有記憶領域２０１ではイメージデータ２２３として、画像処理装置１０４のデータ保存部２０４に保存されたイメージデータ２１４は、共有記憶領域２０１では、イメージデータ２２４として参照可能である。
【００１７】
なお、図１の通信ネットワーク構成において画像処理装置１０２は、マスター画像処理装置と呼ばれ、共有記憶領域２０１から参照可能な全ページデータの位置情報と元データのハッシュとのマップを行うグローバル管理テーブル２１１をデータ保持部２０２に保持しているものとする。
【００１８】
図３は、本発明を実現する図１の通信ネットワーク構成における、画像処理装置１０２、１０３及び１０４の内部構成図である。３０１は通信インターフェースであり、図１のＬＡＮ１０６と接続され、同様にＬＡＮ１０６に接続された装置と通信を行う。インターフェース３０１によりＬＡＮ１０６から受信したデータは、まず受信バッファ３０２に一旦蓄積され、機器制御部３０４の調停の下で、コマンド解析部３０５に送られ内容が解析される。コマンド解析部３０５の解析により、受信データが印刷ジョブと呼ばれる印刷要求であった場合は、データ保存部３０６のうち一定領域を占める印刷キューに該印刷ジョブを保存する。印刷キューは、ＦＩＦＯ（Ｆｉｒｓｔ  Ｉｎ  Ｆｉｒｓｔ  Ｏｕｔ）形式の待ち行列であり、一般に印刷キューに保存された順番で印刷が行われるが、ジョブ制御命令により印刷順番を変更することも可能である。ジョブ制御部３０８は、データ保存部３０６の印刷キューを監視し、印刷ジョブが溜まっている場合には、印刷制御部３１０に問い合わせて、印刷処理が可能かどうかを確認し、印刷可能であれば、データ保存部３０６の印刷キューの先頭におかれた印刷ジョブに含まれる印刷データを描画処理部３０７に転送する。描画処理部３０７は、各種画像処理を行い、印刷データを印刷イメージに変換する。生成された１ページ分の印刷イメージは、ページメモリ３０９に転送される。ページメモリ３０９に印刷イメージが置かれたことを検知した印刷制御部３１０は、プリンタエンジン３１１に指示を出して、ページメモリ３０９の内容を印刷媒体に印刷する。印刷ジョブ中の印刷データの全ページに対して、描画処理部３０７における画像処理とページメモリ３０９への展開及びプリンタエンジン３１１による印刷処理を繰り返すことで、印刷要求が処理される。
【００１９】
図４は、図２において画像処理装置１０２のデータ保存部２０２で保存されるグローバル管理テーブル２１１の構成例である。グローバル管理テーブルは、印刷イメージデータの共有記憶領域におけるファイル名と、該印刷イメージデータの元データのハッシュ値から構成される。共有記憶領域におけるファイル名は、各々の画像処理装置がリンクを設定する場合に衝突を避けるため、自機のデータ保存部に保存しているイメージデータのファイル名にアットマーク（＠）と自機のＩＰアドレスを結合した文字列を設定する。
【００２０】
以下、図３の画像処理装置の内部構成図と、図５のフローチャートを用いて情報処理装置１０１から印刷要求を受け取った画像処理装置１０２の印刷処理に関して説明する。なお、画像処理装置１０２で印刷する場合について説明していくが、印刷は画像処理装置１０３、１０４でも同様の処理を行うことで実現可能である。
【００２１】
印刷ジョブを処理するジョブ制御部３０８がジョブの処理を開始すると、まず図５のステップＳ５０１で、図６にその構造を示すような印刷ジョブのうち、オリジナルデータの各ページに対応したハッシュ値一覧６０２から処理中のページに対するハッシュ値を取得する。そしてＳ５０２で、取得したハッシュ値が図４に示すようなグローバル管理テーブルの各エントリに対して、ハッシュ値欄に記載されている内容と一致しているかどうかを判定する。
【００２２】
ハッシュ値は、非特許文献２に示されたＭＤ５の様な一方向関数の出力として得られる。一方向関数は異なる入力に対して異なる出力が生成され、出力から入力を導きだすことが困難な特性を持つ。このことから、ハッシュ値（一方向関数の出力）が同じということは、印刷データ（一方向関数の入力）が同じものであることを示すため、印刷データのハッシュ値とイメージデータを関連付けることにより、ハッシュ値からイメージデータを取得することが可能になる。なお、本実施形態では、一方向関数としてＭＤ５を取り上げたが、これ以外の一方向関数を使用することも可能であることは言うまでも無い。
【００２３】
ハッシュ値が一致している場合は当該印刷ページに対応するイメージデータが保存されていることを示すため、ステップＳ５０３で、ハッシュ値に対応するイメージデータを取得してページメモリ３０９に展開する。共有記憶領域２０１上に配置されたイメージデータの写像は、保存されているイメージデータの実体へのＵＲＬが記載されていることから、イメージデータの写像の内容を読み込み記載されているＵＲＬに接続することで、所望のイメージデータを取得することが出来る。ステップＳ５０２で、ハッシュ値が一致しない場合は、当該ページに対応したイメージデータが保存されていないため、ステップＳ５０４で、当該ページに対応したイメージデータを図３の描画処理部３０７により生成し、ページメモリ３０９に展開する。次にステップＳ５０５では、生成したイメージデータをデータ保存部３０６に保存すると共に、オリジナルデータのハッシュ値とデータ保存部３０６内のファイル名と対にして、ローカル管理テーブルに追加する。そして、ステップＳ５０６で、イメージデータのリンクを共有記憶領域２０１に配置し、図４に示すようなグローバル管理テーブルに、イメージデータのファイル名とイメージデータのハッシュ値を対にしたエントリを追加する。そして、ステップＳ５０７でページメモリ３０９の内容をプリンタエンジン３１１により印刷媒体に印刷する。ステップＳ５０８で、印刷データの全ベージの印刷が終わったかどうかを判定し、残りページがある場合は、ステップＳ５０１のへ戻り前述の処理を繰り返し、全ページの印刷が完了すると処理を終了する。
【００２４】
以上、説明したように本実施形態によれば、印刷ジョブのハッシュ値と共有記憶領域に置かれたグローバル管理テーブルに登録されているハッシュ値を比較し、これが一致した場合には、印刷ページに対応するイメージデータが保存されていることを示すため、対応するイメージデータの写像を参照し、これが示すＵＲＬにアクセスすることによりイメージデータを取得する。また、ハッシュ値が一致しない場合は、イメージデータが保存されていないことから、従来通りの描画処理部での画像処理を行いイメージデータを生成して印刷を行う。生成したイメージデータは、データ保存部に保存すると共に、共有記憶領域上にリンクを生成し、グローバル管理テーブルに、このリンクとハッシュと関連付けたエントリを追加する。
【００２５】
このように、オリジナルデータの各ページに対するハッシュ値と画像処理装置に保存されているイメージデータを関連付けたグローバル管理テーブルとイメージデータへのリンクを共有記憶領域に配置し、各画像処理装置から参照/書き込み可能にすることで、ネットワーク上の複数の画像処理装置で保存されているイメージデータを利用して、印刷速度の向上を図ると共に、オリジナルデータの全てのページに対するイメージデータが保存されている場合には、印刷ジョブに印刷データを添付することなしにハッシュ値一覧を添付することで印刷処理が可能になることから印刷ジョブのサイズが小さくなり、情報処理装置から画像処理装置への印刷ジョブの転送時間が短縮されるため、更なる印刷終了までの時間短縮が図られるものである。
【００２６】
＜第２の実施形態＞
第１の実施形態では、マスター画像処理装置１０２において、共有記憶領域２０１のグローバル管理テーブル２２０を集中管理しているが、画像処理装置１０２が電源を切っていたり、あるいは故障のため処理が出来ない場合などには、本発明を実現することが出来なかい場合があった。そこで、本実施形態では、図１において、マスター以外の画像処理装置１０３及び１０４が、マスター画像処理装置１０２で管理している、共有記憶領域２０１に配置されたグローバル管理テーブル２２０を定期的に夫々のデータ保存部２０３及び２０４に複製し、画像処理装置１０２が稼動しておらず、共有記憶領域２０１上のグローバル管理テーブル２２０にアクセスできない場合などに、データ保存部２０３あるいは２０４に複製されたグローバル管理テーブルを参照して、本発明を実現しても良い。
【００２７】
本実施形態を図７のフローチャートを用いて説明する。図７のフローチャートは、図５のフローチャートにおけるステップＳ５０２及びＳ５０３の処理の一部と置換されるものである。ステップＳ７０１でグローバル管理テーブルを参照できる場合は、図５のステップＳ５０２以降の処理を実行し、参照できない場合は、ステップＳ７０２で、自画像処理装置に保存されている、図４に示すようなグローバル管理テーブルの複製を参照して、ハッシュ値に対応する（同じ行に記載されている）イメージデータのファイル名からＩＰアドレスを抽出する。グローバル管理テーブルにおけるイメージデータのファイル名は、ローカルファイル名とアットマーク（＠）及びイメージデータを保存する画像処理装置のＩＰアドレスを結合したものとなっていることから、アットマーク以降の文字列を抽出することでＩＰが取得できる。そしてステップＳ７０３で、ＩＰアドレスが示す画像処理装置に接続して、ＦＴＰ（Ｆｉｌｅ  Ｔｒａｎｓｆｅｒ  Ｐｒｏｔｏｃｏｌ）等のファイル転送手段を用いて該イメージデータを取得する。一方、ファイル転送要求を受信した画像処理装置は、ステップＳ７１１で転送を要求されているファイルが存在するかどうかを判定し、存在する場合は、ステップＳ７１２で当該ファイルを送信し、存在しない場合は、ステップＳ７１３でエラーを送信する。
【００２８】
このように、本発明の第２の実施形態によれば、グローバル管理テーブルを全ての画像処理装置で定期的に複製することにより、グローバル管理テーブルを保持するマスター画像処理装置との接続が出来ない場合でも、自装置のデータ保存部に複製されたグローバル管理テーブルを参照することにより、本発明を実現する他の画像処理装置に保存されているイメージデータとハッシュ値の対応を参照可能とし、イメージデータを保持している画像処理装置との通信により該イメージデータを取得して印刷を行うことでマスター画像処理装置の故障などで共有記憶域が参照できない場合でも本発明を実現可能とするものである。
【００２９】
＜第３の実施形態＞
第１及び第２の実施形態では、画像処理装置１０２、１０３及び１０４のみが、共有記憶領域２０１を参照可能にしていたが、印刷処理を発行する情報処理装置１０１あるいは１０５においても、共有記憶領域２０１を参照可能にしても良い。
【００３０】
図１の情報処理装置１０１において、プリンタドライバにより文書等のオリジナルデータをＰＤＬに変換する際に、オリジナルデータの各ページに対するハッシュ値を計算する。そして、共有記憶領域２０１のグローバル管理テーブル２２０を参照し、各ページに対するハッシュ値と同じものが登録されているかどうかを判定し、登録されている場合にはイメージデータを取得するため、該ページに対するＰＤＬの生成は行わないようにする。以上の処理をオリジナルデータの全ページに対して行うことで、ハッシュ値が登録されていないページに関してのみＰＤＬが生成され印刷ジョブの印刷データとして設定されるとともに、ハッシュ値も印刷ジョブに設定される。
【００３１】
このように、本発明の第３の実施形態によれば、印刷ジョブを生成する情報処理装置においても、共有記憶領域上のグローバル管理テーブルを参照可能にし、ハッシュ値を元に、印刷対象のオリジナルデータのページに対応するイメージデータが保存されているかどうかを判定し、保存されている場合には該ページのＰＤＬを生成しないことにより、印刷ジョブに含まれるＰＤＬのサイズが小さくなることから、情報処理装置と画像処理装置間の印刷ジョブの転送に要する時間が短縮され、更なる印刷時間の高速化が図られるものである。
【００３２】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３３】
この場合、記憶媒体から読み出されたプログラムコード自体が前述した実施形態の機能を実現することになり、プログラムコード自体及びそのプログラムコードを記憶した記憶媒体は本発明を構成することになる。
【００３４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３５】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００３７】
【図１】本発明の一実施形態に係る通信ネットワークの構成を示す図である。
【図２】図１の通信ネットワークのうち、画像処理装置間のデータ共有を示した図である。
【図３】本発明の一実施形態に係る画像処理装置の内部モジュール構成例である。
【図４】本発明の一実施形態に係るマスター画像処理装置で管理される管理テーブルの構成例である。
【図５】本発明の一実施形態に係る画像処理装置の動作を示すフローチャートである。
【図６】本発明の一実施形態に係る情報処理装置で生成され画像処理装置で処理される印刷ジョブの構造例である。
【図７】本発明の一実施形態に係る情報処理装置と画像処理装置の動作を示すフローチャートである。
【符号の説明】
【００３８】
１０１、１０５  情報処理装置
１０２、１０３、１０４  画像処理装置
１０６  ネットワーク
【図１】
2006164152.tif 000003
【図２】
2006164152.tif 000004
【図３】
2006164152.tif 000005
【図４】
2006164152.tif 000006
【図５】
2006164152.tif 000007
【図６】
2006164152.tif 000008
【図７】
2006164152.tif 000009